(57)【要約】【課    題】大部屋においても、個室並みの良好な空間環境を容易に実現することができる簡易な設置方法によるいわば準個室と、その個室の管理システム、並びに、前記個室の運営システムを提供すること。【解決手段】病院ＨＰの大部屋Ｒにおいて左右で隣り合うベッドＢの間を床に設置するサイドパネル１によって仕切ると共に、前記各ベッドＢの頭部側には頭部側パネル２を設置する一方、前記サイドパネル１に、前記ベッドＢを使用する患者の視野に入る部位に平面状画面のテレビ受像機ＤＰ、又は、該受像機の取付支持具を設けると共に、当該サイドパネル１又は頭部側パネル２に前記ベッドＢに向けて人感知センサー３を設けたこと。【選択図】    図１
2004353416.tif 000002
【特許請求の範囲】
【請求項１】
病院の大部屋において左右で隣り合うベッドの間を床に設置するサイドパネルによって仕切り、前記各ベッドの頭部側には頭部側パネルを設置すると共に、各ベッドの足元側は開閉可能なカーテンを配置する一方、前記サイドパネルに、前記ベッドを使用する患者の視野に入る部位に平面状画面のテレビ受像機、又は、該受像機の取付支持具を設けると共に、前記サイドパネル又は頭部側パネルに前記ベッドに向けて人感知センサーを設けたことを特徴とする病院の大部屋に形成した個室。
【請求項２】
パネルに積層タイプのブロックパネルを使用し、ブロックパネルの一部に光透過性のものを使用するか、又は、適宜の着色等を施したものを使用するか、若しくは、光透過性のパネルと着色等を施したパネルを使用した請求項１の個室。
【請求項３】
サイドパネル又は頭部側パネルには、収納機能を有する収納壁ブロックを使用した請求項１又は２の個室。
【請求項４】
大部屋に形成された個々の個室における患者の有無を感知する人感知センサーと、各センサーの動作状態を制御するコントローラと、前記センサーに得られる情報を蓄積する病院側に設置したコンピュータと、該病院側のコンピュータに無線又は有線で接続される管理機関のコンピュータとから構成され、病院側コンピュータに蓄積される各個室における入院患者の在室情報を、管理機関のコンピュータにインターネットなどの通信網を介して供給させ、当該管理機関のコンピュータは供給された在室情報と該情報に基づき算出される少なくとも個室使用料を含む所要データを取扱うことを特徴とする大部屋に形成された個室の管理システム。
【請求項５】
各個室の人感知センサーのコントローラを作動させる病院側のコンピュータを、管理機関のコンピュータによって作動させる請求項４の大部屋に形成された個室の管理システム。
【請求項６】
人感知センサーの作動時間を、前記個室に入院している患者の食事時間，診察時間，消灯時間の少なくとも３回の定期的パターンで動作させる請求項４又は５の大部屋に形成された個室の管理システム。
【請求項７】
管理機関のコンピュータでは、各個室について収集した患者の在室情報を、その患者を示すデータと紐付けして所定期間（例えば、週別や月別など），ベッド（又は個室）別に算出し、算出した在室情報データを通信網を介してクレジット金融機関に供給する一方、病院側は前記患者の入退院証明書による個室入院日数のデータを前記クレジット金融機関に通信網を介して供給し、供給される各データを受取ったクレジット金融機関では、受取データに基づいて前記患者の個室の少なくとも使用日数データと料金データを算出することを特徴とする大部屋に形成した個室の運営システム。
【請求項８】
個室に入院した患者は、クレジット金融機関で算出された個室使用料を所定タイミングで病院側に支払い、病院側は前記患者から支払を受けた個室使用料をクレジット金融機関に払込む請求項７の大部屋に形成した個室の運営システム。
【請求項９】
クレジット金融機関は、個室使用料の請求書とその支払いを受けた領収書とを、直接患者あてに発行するか、又は、病院側の会計部署を通して患者に発行する請求項６又は８の大部屋に形成した個室の運営システム。
【発明の詳細な説明】
【０００１】
【発明の属する技術分野】
本発明は、一般患者が入院するいわゆる大部屋を、個室に準じる仕様に簡易な手法により変更して形成したいわば準個室と、このようにして形成した個室の患者在室状況を一元的に管理できる管理システムに関すると共に、この管理システムにより得られる前記個室の在室データを利用して、病院側に人的或は手間的負担を掛けることなく、レンタル方式によって前記の個室を運営する運営システムにも関する。
【０００２】
【従来の技術】
入院設備を具備した病院には、複数の患者を収容するいわゆる大部屋と、１人の患者を収容する個室とが設けられている。大部屋では、各入院患者用のスペースを区画するため、各ベッドの周囲を囲むカーテンが備え付けられているのが一般的である。従って、大部屋で各ベッドを使用する入院患者は、カーテンを介して視覚的に外部と遮断することができるが、それ以上の遮蔽効果はなく、プライバシーの十分な保護を得ることはできない。ここで、大部屋とは一般的に４人以上の患者を一部屋に入院させるようにした病院をいうが、本発明は２人以上の患者がカーテンなどのいわゆる軽間仕切で仕切られて個々のベッドを使用するように形成された病室にも適用できること勿論である。
【０００３】
上記のように大部屋の各ベッドの回りに配設されたカーテンでは、カーテン内の光や音が容易に外部に漏れるので、十分なプライバシーを保つことができないほか、その光や音が周囲に迷惑をかけることもあって、病院の大部屋では快適な入院生活を送ることは難しいというのが現状である。この点は、病院側がすべての大部屋を個室に改装すれば、少なくとも形式上の解決を図ることができるが、そのための工事期間や設備コストは半端なものではなく、到底現実的な解決策とはいえない。
【０００４】
【発明が解決しようとする課題】
そこで、本発明は、上記のような従来の問題点に鑑み、大部屋においても、個室並みの良好な空間環境を容易に実現することができる簡易な設置方法によるいわば準個室と、その個室の管理システム、並びに、前記個室の運営システムを提供することを、課題とするものである。
【０００５】
【課題を解決するための手段】
上記課題を解決することを目的としてなされた本発明個室の構成は、病院の大部屋において左右で隣り合うベッドの間を床に設置するサイドパネルによって仕切ると共に、前記各ベッドの頭部側には頭部側パネルを設置する一方、前記サイドパネルに、前記ベッドを使用する患者の視野に入る部位に平面状画面のテレビ受像機、又は、該受像機の取付支持具を設けると共に、当該サイドパネル又は頭部側パネルに前記ベッドに向けて人感知センサーを設けたことを特徴とするものである。
【０００６】
本発明において、上記パネルに積層タイプのブロックパネルを用い、また、使用するブロックパネルの一部に光透過性のものを使用したり、適宜の着色等を施したもの、具体的には、いわゆる癒し系の優しい色彩（例えば、パステルカラーやアースカラー系の色）で着彩したものや風景写真や静物画などを表示したものを使用することができる。
【０００７】
上記方法により形成された大部屋に設置された本発明個室の管理システムの構成は、上記で大部屋に設置された個々の個室における患者の有無を感知する人感知センサーと、各センサーの動作状態を制御するコントローラと、前記センサーに得られる情報を蓄積する病院側コンピュータと、病院側コンピュータに無線又は有線で接続される管理機関のコンピュータとから構成され、病院側コンピュータに蓄積される各個室における入院患者の在室情報を、管理機関のコンピュータにインターネットなどの通信網を介して供給させ、当該管理機関のコンピュータは供給された在室情報と該情報に基づき算出される少なくとも個室使用料を含む所要データを取扱うことを特徴とするものである。人感知センサーとしては、人の体温を感受して作動する赤外線センサー、或は、患者に付けたＩＣコード発信型のＩＤタグの信号を検出するセンサーなどがある。
【０００８】
本発明管理システムでは、各個室の人感知センサーのコントローラを作動させる病院側に設置したコンピュータを、管理機関のコンピュータによって作動させる。これにより、病院側では各個室に設けたセンサーのコントローラを操作，制御する必要がなくなり、人手や手間を省くことが可能になる。
【０００９】
また、本発明管理システムでは、人感知センサーの作動時間を、その病院における前記個室に入院している患者の食事時間，診察時間，消灯時間などの少なくとも３回の定期的パターンで動作させることが望ましい。これにより、人感知センサーを常時動作させなくても、その個室に入院している患者が当該個室をいわゆる「一日使用」に該当する内容で使用したかどうかを判別でき、従って、その判別データは個室使用料算出データに利用することができる。なお、人感知センサーには、赤外線センサー，超音波センサー、或は、患者に付けたＩＤコード発信型のＩＣタグの信号を検出するセンサーを用いることができる。
【００１０】
更に、本発明では上記の管理システムで得られるデータを活用することにより、大部屋に設置した本発明の各個室の運営を、上記管理機関と病院外の第三者金融機関、例えば、いわゆるクレジット会社やリース会社によって行うことが可能になる。以下の説明では、第三者金融機関の一例としてのクレジット会社を、クレジット機関と称する。
【００１１】
まず、大部屋に設置される本発明の個室設備（個室自体）は、その個室を形成する設備，機材を用いて個室の設置施工をする業者を含む管理機関が、その設備費，施工費を勘案してクレジット機関に売却することにより、そのクレジット機関の所有物にする。
【００１２】
一方、前記個室の設置業者やその業者を含む当該個室の運営業者となる上記の管理機関、或は、クレジット機関は、現在、従来タイプの大部屋を持っている病院に対し前記個室設置の営業を展開し、病院側と合意すれば本発明個室の設置、並びに、その個室の運用についてレンタル使用契約を締結する。この契約が締結されると、前記設置業者がクレジット機関の所有物となっている本発明個室をその病院の大部屋に設置する。
【００１３】
このようにして、本発明では個室の設置は、その設置業者を含み後に説明する運営機関となる管理機関が行い、大部屋に設置された個室は、クレジット機関の所有物として病院とクレジット機関との間でのレンタル使用契約の下で、当該病院の入院患者に提供されることとなる。この結果、病院側は本発明個室の設置に対するコスト負担はなく、また、その個室の運営も運営機関とクレジット機関によってなされるので、この面での病院側の人的，手間的負担は原則としてない。
【００１４】
以上のようにして病院の大部屋に設置される本発明個室の運営形態は、一例として次のような形態を採ることとなる。
【００１５】
大部屋に設置された本発明個室は、当該個室の使用を希望する患者に病院から貸出される形をとるが、個室の使用申込みは、患者が直接に又は病院を通してクレジット機関に申込む。この申込みによって、当該患者による本発明個室が使用され始めると、管理機関のコンピュータでは、各個室について収集した患者の在室情報を、その患者を示すデータに紐付けして所定期間（例えば、週別や月別など），ベッド（又は個室）別に算出し、該算出データを通信網を介して前記クレジット機関に供給する。一方、病院側は前記患者の入退院証明書による個室入院日数のデータを前記クレジット機関に前記通信網を介して供給する。各データを受取ったクレジット機関では、受取データに基づいて前記患者の個室の使用日数と料金データなどの所要データを形成する。
【００１６】
上記運営システムでは、管理機関から病院に提供される使用料金のデータに基づいて、病院側が前記個室を使用した患者から一日当りの個室使用料（レンタル料）×使用日数分の使用料を徴収し、その徴収金額をクレジット機関に送金することにより、クレジット機関から病院へ、患者からのレンタル料金の徴収代行手数料が支払われる。
【００１７】
上記のように、病院では個室設備の設置，管理，運用のいずれの面にも実質上タッチすることなく、本発明個室を使用した患者の申込みを受けて管理機関のコンピュータにその患者を示すデータ（患者ＩＤ）を提供すること、並びに、管理機関から供給される前記患者の個室使用による使用料金のデータをもらって患者から個室使用料を、医療費の徴収の際に一緒に徴収するだけで、何らの設備コストやその手間をかけることなく、自分の病院の大部屋を個室化し、かつ、その個室による収益を上げることが可能になる。
【００１８】
【発明の実施の形態】
次に本発明の実施の形態例について、図を参照しつつ説明する。図１は本発明個室の一例の平面レイアウト図、図２は図１の本発明個室の一例の鳥瞰図、図３は図１の本発明個室が設置される前の大部屋の平面レイアウト図、図４は本発明個室の管理システムを説明するためのブロック図、図５は本発明個室の運営システムを説明するためのブロック図である。
【００１９】
図３は病院における従来の大部屋の一例を示す平面図で、この図では大部屋Ｒの出入口ＮＸを見通す通路空間Ｆの左右に、夫々３台ずつ計６床のベッドＢが配置されている。各ベッドＢの頭部側の脇には小キャビネットＣが配置され、図には示していないが、各ベッドＢは、天井側に設けたカーテンレールに吊下されたカーテンによって隣のベッドの足側とが開閉可能に仕切られる形態であった。しかし、かかるベッドＢの配置、並びに、カーテンによる仕切り形態では、様々な問題があることは上述した通りである。
【００２０】
そこで本発明では、図３と同じ大部屋Ｒに、図１，図２に示すようにベッドＢを４床設置すると共に、各ベッドＢがあたかも個室に設置されているのと同等の空間環境を形成することにより、いわば準個室を形成するので、以下、この点について述べる。なお、Ｗはこの大部屋Ｒの窓である。
【００２１】
図３の大部屋のときは６床のベッドであったが、図１，図２に例示した個室化ではベッドＢが４床になるので、ベッド１床あたりの占有できる空間は拡大している。これは第４次医療法改正を承けたものである。本発明ではこの拡大したベッド１床あたりの空間を利用して、次のような設備を用いて、各ベッドＢの置かれる空間を個室化した。
【００２２】
まず、各ベッドＢの左右側を区画するため、両ベッドＢ，Ｂの間に、積層式のサイドパネル１による間仕切壁を形成した。このサイドパネル１は、単位大きさにモジュール化される、ここでは長方形状のパネル部材１ａの１２枚を、長さ方向と上下方向に並べて積層することによりサイドパネル１を形成している。
【００２３】
上記サイドパネル１において、この例では下から３段目のパネル部材は、適宜の絵や写真、或は、アースカラーの着彩などが設けられて、形成される個室内にいわゆる癒し系といわれる雰囲気をかもし出すためのカラー等のパネル部材１ｂが使用され、下から４段目（一番上）のパネル部材には、乳白色など透光性のパネル面を有する透光パネル部材１ｃが少なくとも１枚使用されている。本発明において、パネル部材１ｂや１ｃを使用するかどうかは任意である。
【００２４】
また、上記パネル部材１ａ〜１ｃのうち、所要部位、例えば、ベッドＢに居る患者の手が届く、或は、視野内にある少なくとも１つのパネル部材１ａ〜１ｃは、前面を凹棚状に窪ませて、小物置きとして機能させたり、或は、液晶画面ＤＰを設ける。本発明ではこの画面ＤＰを後付けで設けるため、選択されたパネル部材１ａ〜１ｃには、画面取付用ブラケット（図に表われず）のみを設けた仕様もある。また、このブラケットには、伸縮変向式アームタイプのものを用い、画面ＤＰの向きや距離を変更できるようにすることが望ましい。
【００２５】
一方、各ベッドＢの頭部側には、上記パネル部材１ａ〜１ｃと同じ構成のパネル部材２ａ〜２ｃが選択的に積層配置されて頭部側パネル２に形成されている。この例では各ベッドＢの頭部側パネル２の所要位置、具体的には、各ベッドＢに居る患者を検出するため人感知センサー３が配置される。
【００２６】
上記パネル１，２において、選択される所要のパネル部材１ａ〜１ｃ、２ａ〜２ｃには、上記構成のほか、電源コンセント，電話コンセント（モジュラーコンセント）、或は、小物収納ボックスや簡易手洗いＨｗなどを具備したものを用い、患者の便宜を図ることができるように形成されている。また、各ベッドＢの頭部側などの脇には、ワードローブやロッカー或はチェストなどの形態を呈する収納キャビネットＣａを設備し、入院患者の便宜に資する。
【００２７】
４は、各ベッドＢの足元側に配設したカーテンレール４ａに吊下されたカーテンで、このカーテン４を閉じると、各ベッドＢが配置された小空間Ｒ１〜Ｒ４は、あたかも独立した個室と同等の病床空間環境に演出されることとなる。なお、図２の本発明個室の鳥瞰図は、大部屋Ｒへの出入口ＮＸと窓Ｗの位置が図１との例と反転している。
【００２８】
上記のように形成される本発明個室は、次のように管理され、また、運営される。この点について、図４と図５を参照しながら説明する。
【００２９】
図４において、病院ＨＰの所望の大部屋Ｒを本発明手法により個室化した各個室Ｒ１〜Ｒ４の人感知センサー３は、各センサー３が対応した各ベッドＢに入院患者が居るかどうかを、一例として、各患者の食事時間、診察時間、消灯時間のタイミングにおいて検出する。このほか検出タイミングとしては、患者の就寝中、或は、その病院で定める消灯時から翌朝起床時までの間などの適時タイミングを選択することができる。各センサー３の動作タイミングの制御は、コントローラ５により行うが、このコントローラ５は、運営機関ともなる管理機関６のコンピュータ７により制御され、前記各センサー３が形成する信号は管理機関６のコンピュータ７に収集される。
【００３０】
この例では、センサー３が上記の３回動作したとき、その動作のつどベッドＢに患者が居ることが検出されると、このベッドＢがある個室Ｒ１〜Ｒ４（のどれか一つ）は、一日、その患者により使用されたものとするデータが形成され、コンピュータ７に蓄積される。本発明では、センサー３の動作タイミングをどのように設定するかは、コントローラ５により随意に変更，設定することができる。また、センサー３には、赤外線センサーによる人の有無の検出のみならず、検出される人が、この個室を借りている患者か、それ以外の第三者かを検出するセンサーを併用してもよい。患者を特定して検出するセンサーとしては、患者が付けているその患者のＩＤコードを発信するように形成されたＩＣタグの信号を受信検出するタイプのものを使用する。
【００３１】
図４の例では、コントローラ５と管理機関６のコンピュータ７の間には、コントローラ５とＬＡＮ接続８ａされた、この病院ＨＰの事務局９などに設置されるコンピュータ８が介在し、このコンピュータ８と管理機関６のコンピュータ７とが例えば通信接続機器８ｂにより無線通信などに接続されるように形成されている。なお、８ｃはＬＡＮモデムである。これにより事務室９と管理機関６のコンピュータ８と７には、各センサー３から収集される同じ在室データが蓄積される。本発明において、コンピュータ７，８の接続形態は上記例に限られるものではない。
【００３２】
一方、本発明個室Ｒ１〜Ｒ４の運営は、一例として図５に例示したブロック図の形態において行われるので、以下に説明する。
【００３３】
まず、病院ＨＰの任意の大部屋Ｒに設置される本発明の個室設備（個室自体）Ｒ１〜Ｒ４は、その個室Ｒ１〜Ｒ４を形成する設備，機材を用いて個室の設置施工をする施工業者を含む管理機関６が、個室Ｒ１〜Ｒ４の設置に要する設備費，施工費を勘案してクレジット機関１０に売却する。これにより管理機関６が前記大部屋Ｒに設置した個室Ｒ１〜Ｒ４はクレジット金融機関１０（以下、クレジット機関１０という）の所有物となる。
【００３４】
一方、前記個室Ｒ１〜Ｒ４の設置施工業者やその業者を含む当該個室の運営業者となる上記の管理機関６、或は、クレジット機関１０は、大部屋Ｒを持つ病院ＨＰ（その病院の事務局９と同義、以下、同じ。）に対し前記個室Ｒ１〜Ｒ４の設置について営業を展開し、病院ＨＰ側と個室Ｒ１〜Ｒ４の設置、並びに、その個室Ｒ１〜Ｒ４のレンタル使用（設置）契約が締結されると、前記管理機関６における設置業者がクレジット機関１０の所有物となる本発明個室Ｒ１〜Ｒ４をその病院の大部屋Ｒに設置する。
【００３５】
このようにして、本発明では個室Ｒ１〜Ｒ４の設置は、その施工業者を含み運営機関となる管理機関６が行い、設置された個室Ｒ１〜Ｒ４は、クレジット機関１０の所有物として病院９とクレジット機関１０との間でのレンタル使用契約の下で、当該病院ＨＰの入院患者Ｈｍに提供されることとなるので、病院ＨＰ側は本発明個室Ｒ１〜Ｒ４の設置に対するコスト負担はなく、また、その個室Ｒ１〜Ｒ４の運営も運営機関とクレジット機関１０によってなされるので、この面での病院側の人的，手間的負担は原則としてない。
【００３６】
この結果、大部屋Ｒに設置された本発明個室Ｒ１〜Ｒ４の運営形態は、一例として次のような形態を採る。
【００３７】
大部屋Ｒに設置された本発明個室Ｒ１〜Ｒ４は、それの使用を希望する患者Ｈｍに病院ＨＰの事務局９から貸出される。使用申込みは、患者Ｈｍが直接に、又は、病院ＨＰの事務局９を通してクレジット機関１０に申込む。この申込みによって、当該患者Ｈｍによる本発明個室Ｒ１〜Ｒ４（のどれか一室、以下、同じ）が使用され始めると、管理機関６のコンピュータ７では、各個室Ｒ１〜Ｒ４について収集した各患者Ｈｍの在室情報を、その患者Ｈｍを示すデータに紐付けして所定期間（例えば、週別や月別など），ベッド（又は個室）別に算出し、該算出データを通信網を介して前記クレジット機関１０に供給する。一方、病院ＨＰの事務局９側は各患者Ｈｍの入退院証明書による個室入院日数のデータをそのコンピュータ８から前記クレジット機関１０に前記通信接続機器８ｂなどを介して供給し、各データを受取ったクレジット機関１０では、受取データに基づいて前記各患者Ｈｍの個室Ｒ１〜Ｒ４の使用日数と料金データなどの所要データを形成する。
【００３８】
上記運営システムでは、管理機関６から病院事務局９のコンピュータ８に提供される使用料金のデータに基づいて病院９側が前記個室Ｒ１〜Ｒ４を使用した各患者Ｈｍから個室使用料（レンタル料）×日数の使用料を徴収し、その徴収金額をクレジット機関１０に送金することにより、クレジット機関１０から病院ＨＰの事務局９に対し、患者Ｈｍからのレンタル料金の徴収代行手数料が支払われる。
【００３９】
以上の説明は、一つの大部屋Ｒを４つの個室Ｒ１〜Ｒ４に変更，設置した例についてであるが、本発明は２以上の大部屋について適用し、また形成する個室も各大部屋に２以上形成したものに適用することができるものである。
【００４０】
【発明の効果】
本発明は以上の通りであって、次の効果が得られる。
病院の大部屋において左右で隣り合うベッドの間を床に設置するサイドパネルによって仕切ると共に、前記各ベッドの頭部側には頭部側パネルを設置し、各ベッドの足元側に開閉可能なカーテンを配置することにより、本発明個室を形成したから、各ベッドの置かれた空間の独立性が高く、音や光によって左右に隣接するベッド側の影響をうけることが大幅に軽減され、患者のプライバシーの高い保護を図ることができる。
【００４１】
また、本発明個室の管理，運営システムでは、病院側が、個室設備の設置，管理，運用のいずれの面にも実質上タッチすることなく、本発明個室を使用した患者の申込みを受けて管理機関のコンピュータにその患者を示すデータ（各患者のＩＤコード）を提供すること、及び、管理機関から供給される前記患者の個室使用による使用料金のデータをもらって患者から個室使用料を、医療費の徴収の際に一緒に徴収するだけで、何らの設備コストをかけることなく、自分の病院の大部屋を個室化し、かつ、その個室による収益を上げることが可能になる。
【００４２】
本発明は、上記のような効果を奏するので、大部屋を有する病院に適用することにより、その大部屋を個室化した上で活用することが容易に可能になる。
【図面の簡単な説明】
【図１】本発明個室の一例の平面レイアウト図。
【図２】図１の本発明個室の一例の鳥瞰図。
【図３】図１の本発明個室が設置される前の大部屋の平面レイアウト図。
【図４】本発明個室の管理システムを説明するためのブロック図。
【図５】本発明個室の運営システムを説明するためのブロック図。
【符号の説明】
１        サイドパネル
１ａ〜１ｃ    パネル部材
２        頭部側パネル
２ａ〜２ｃ    パネル部材
３        人感知センサー
４        カーテンレール
４ａ        カーテン
５        センターコントローラ
６        管理機関
７        管理機関のコンピュータ
８        病院事務局のコンピュータ
９        病院の事務局
１０        クレジット機関
ＨＰ        病院
Ｂ        ベッド
Ｒ        病院の大部屋
ＲＩ〜Ｒ４    本発明個室
ＤＰ        液晶画面
Ｗ        窓
【図１】
2004353416.tif 000003
【図２】
2004353416.tif 000004
【図３】
2004353416.tif 000005
【図４】
2004353416.tif 000006
【図５】
2004353416.tif 000007